(57)【要約】【課題】上部スプロケットホイールの他に新たな回転伝達機構を用いることなく、電極板と上部シャフトとが干渉せずに移動可能な移動電極型電気集塵装置を提供することを課題とする。【解決手段】上下のスプロケットホイールによって回転可能に支持された無端チェーンと、該無端チェーンと一体に放電極の回りを一定方向に周回移動する複数枚の電極板とを有し、該無端チェーンに設けられた棒状の電極板支持アームの先端において、該複数枚の電極板がそれぞれ重心より高い位置で回転自在に取付けられた構成とした。【選択図】図１
2014172006.tif 000002
【特許請求の範囲】
【請求項１】
上下のスプロケットホイールによって回転可能に支持された無端チェーンと、該無端チェーンと一体に放電極の回りを一定方向に周回移動する複数枚の電極板とを有した移動電極型電気集塵装置において、該無端チェーンに複数の棒状の電極板支持アームを有し、該電極板支持アームの先端において、該複数枚の電極板がそれぞれ重心より高い位置で回転自在に取付けられた構成としたことを特徴とする移動電極型電気集塵装置。
【請求項２】
長尺の長方形をした１枚の鋼板の上端部と左右端部の上部に電極板上枠を設けて前記電極板を構成したことを特徴とする請求項１に記載の移動電極型電気集塵装置。
【請求項３】
長尺の長方形をした１枚の鋼板の下端部に電極板下枠を設けて前記電極板を構成したことを特徴とする請求項１及び請求項２に記載の移動電極型電気集塵装置。
【発明の詳細な説明】
【技術分野】
【０００１】
本発明は、電気集塵装置の集塵極に係り、特に無端チェーンに連結された複数枚の電極板が放電極の回りを周回移動するように構成された移動電極型電気集塵装置の集塵極に関する。
【背景技術】
【０００２】
移動電極型電気集塵装置１は、図６に示すように集塵極を構成する電極板１０が鉛直方向に移動して放電極を周回しながら両極間に印加された高電圧によってダストを帯電して集塵極にダストを捕集し、集塵極下部に設置されたブラシによってダストを払い落とす構造である。一般的な固定電極型の電気集塵装置で行われる槌打方式に比べて、ダストの剥離不良や後流へのダストの再飛散が少なく、高い集塵性能を発揮することができる。しかし、電極板１０を移動させる駆動装置を備えることや、下記の理由で電極板に堅牢な構造が必要なことから、より簡素で安価な構造が求められている。
【０００３】
集塵極は、水平方向に長尺の電極板を鉛直方向に複数枚並べ、その水平方向両端（左右両端）に設置した２本の無端チェーンによって懸架されてキャタピラ状に周回移動する構造であり、その上下端にはスプロケットホイールを配し、スプロケットホイールの円周に沿って電極板は反転動作する。この反転中に電極板は水平姿勢となり、電極板の自重や付着したダストの重みで撓み変形を生じる。
【０００４】
そのため特許文献１では、電極板が塑性的な撓み変形や座屈を起こすことのないよう、中空ボックス断面や、中空の強度部材で額縁状に補強したものを採用している。しかしながら、このような構成は製作に手間がかかり装置コストが増加する問題があった。
【０００５】
また、特許文献２及び特許文献３では、上記のような電極板の反転動作を回避するため、集塵極を構成する電極板の鉛直姿勢を保持したまま周回移動させる方法として、図７に示すように電極板１０の左右上端、或いは重心より高い位置でピンや軸１３などにより回転自在に無端チェーンに懸架して周回させる構造が開示されている。この場合、上部の左右の両スプロケットホイール２０を連結するように上部シャフトが配置されていると懸架状態の電極板と上部シャフトが干渉・衝突するため、左右のスプロケットホイールを片持ち構造とすることで、左右のスプロケットホイールを連結する上部シャフトを無くすとともに、左右のスプロケットホイールの上側に新たな回転軸を設け、それぞれのスプロケットホイールに回転を伝達する機構を新たに追加している。そのため、回転伝達機構を収容するための上部スペースが必要になるとともに、部品数も増加するため、装置コストが増加する問題があった。
【先行技術文献】
【特許文献】
【０００６】
【特許文献１】特開平１０-２３０１８７号
【特許文献２】特開昭５５-７３３５９号
【特許文献３】特開２００７-１１７９８２号
【発明の概要】
【発明が解決しようとする課題】
【０００７】
上記の特許文献１乃至３に記載の構成による高コスト化を避けるため、本発明は上部スプロケットホイールの他に新たな回転伝達機構を用いることなく、電極板と上部シャフトとが干渉せずに移動可能な移動電極型電気集塵装置を提供することを課題とする。
【課題を解決するための手段】
【０００８】
前記課題を解決するために、本発明に係る移動電極型電気集塵装置は、上下のスプロケットホイールによって回転可能に支持された無端チェーンと、該無端チェーンと一体に放電極の回りを一定方向に周回移動する複数枚の電極板とを有し、該無端チェーンに設けられた棒状の電極板支持アームの先端において、該複数枚の電極板がそれぞれ重心より高い位置で回転自在に取付けられた構成とした。これにより電極板は上部のスプロケットホイールを通過する際に前記電極板の姿勢を鉛直方向に維持しながら前記電極板支持アームによって上部シャフトより上位に持ち上げられ、上部シャフトを回避して移動するため、電極板と上部シャフトが干渉することを回避できる。
【０００９】
また、本発明に係る移動電極型電気集塵装置は、前記電極板が長尺の長方形をした１枚の鋼板の上端部および左右両端部の上部に補強用の電極板上枠を有する構成とした。これにより、排ガス流による風圧やダスト剥離用のブラシの押圧によっても変形しないための十分な剛性を確保することが可能となる。
【００１０】
また、本発明に係る移動電極型電気集塵装置は、前記電極板が長尺の長方形をした１枚の鋼板の下端部に前記電極板の剛性を補強しつつ前記電極板の重心点を調整する電極板下枠を有する構成とした。これにより、排ガス流による風圧やダスト剥離用のブラシの押圧によっても変形しないための十分な剛性を確保するとともに、前記電極板と前記電極板支持アームの結合位置すなわち前記電極支持アームの長さ選定の自由度が広がり、前記電極支持アームの強度を高めることができる。
【発明の効果】
【００１１】
上記のような特徴を有する動電極型電気集塵装置によれば、軽量でかつ必要な剛性を確保した集塵極構造を有することで動電極型電気集塵装置の製作費を低減可能となる。
【図面の簡単な説明】
【００１２】
【図１】本発明の実施例１の集塵極を模式的に示す側面図。
【図２】本発明の実施例１の電極板を示す側面図。
【図３】本発明の実施例１の電極板を示す正面図。
【図４】本発明の実施例２の電極板を示す側面図。
【図５】本発明の実施例２の電極板を示す正面図。
【図６】従来装置の内部構造を示す概念図。
【図７】従来の集塵極を模式的に示す側面図。
【発明を実施するための形態】
【００１３】
図１は本発明の実施例１に係る集塵極と放電極の１レーン分を模式的に示した側面図である。実際の装置は排ガス処理量に応じて数十レーンが並列配置されている。上下のスプロケットホイール２０、２１によって回転可能に支持された無端チェーン２が放電極３０を周回するように張り渡され、該無端チェーン２に複数枚の電極板１０が電極板支持アーム１１を介して取り付けられている。電極板１０と電極板支持アーム１１とは、電極板１０の重心点より上の位置に設けられた軸１３において回転自在に取り付けられており、これにより常に電極板１０が鉛直方向に姿勢を保つことができる。
【００１４】
無端チェーン２および電極板１０は図中の矢印のように回転・移動し、集塵極下部に配置されたブラシ６によって電極板１０に付着したダストが掻き取られ、下部のホッパーに堆積される。電極板１０は上部スプロケットホイール２０を通過する際に、電極板支持アーム１１が上部スプロケットホイール２０の円周接線方向に姿勢を維持しながら移動するため、電極板１０が電極板支持アーム１１によって持ち上げられた状態で左右の上部スプロケット２０を連結する上部シャフト２２の上位を通過するため、電極板１０と上部シャフト２２の干渉・衝突を回避することができる。
【００１５】
なお、排ガスの流れによる風圧や放電極と集塵極間のスパーク等によって電極板１０が振動することを防止するため、電極板１０が振動した際には電極板１０の左右両端と接してそれ以上電極板１０の振幅が大きくならないように抑えるための棒状のガイド２７が電極板１０の左右端部と対向する位置に配置されている。
【００１６】
図２、３は実施例１の電極板１０の詳細を示す側面図および正面図である。
電極板１０は長尺の長方形をした１枚の鋼板の上端部と左右端部の上部に縁取りをするように電極板上枠１４を設けて補強した構成となっている。前記の通り、電極板１０の重心点より上部における前記電極板枠１４に軸１３が設けられており、電極板支持アーム１１の一端部に設けた穴において回転自在に結合されている。なお、電極板支持アーム１１はその一端のアーム固定部２４において無端チェーン２と溶接によって接合されている。
【００１７】
この構成によると、前記電極板１０の縁取り部１４が電極板１０の機械的な強度を向上させて排ガス流による風圧や集塵極の下部に設置されたブラシ６の隙間に電極板１０が侵入する際のブラシ６の押圧による変形を防止する効果がある。
【００１８】
図４、５は実施例２の電極板１０の詳細を示す側面図および正面図である。
電極板１０は長尺の長方形をした１枚の鋼板の下端部に縁取りをするように電極板下枠１６を設けて補強するとともに、その重みにより電極板１０の重心点を下げる構成となっている。
【００１９】
この構成によると、前記電極板１０の下端の縁取り部１６が電極板１０の平面を維持するための機械的な強度を向上させて排ガス流による風圧やブラシ押圧による変形防止に効果がある上、電極板下枠１６の重さによって電極板１０の重心点が下がって電極板１０と電極板支持アーム１１の結合位置を下方に設定できるため、電極板支持アーム１１を短くすることが可能となり、電極板支持アーム自体の強度を向上できる。
【符号の説明】
【００２０】
１………移動電極型電気集塵装置、２………無端チェーン、６………ブラシ、１０………電極板、１１………電極板支持アーム、１２………内部フレーム材、１３………軸、１４………電極板上枠、１５………リング状部材、１６………電極板下枠、２０………上部スプロケットホイール、２１………下部スプロケットホイール、２２………上部シャフト、２３………下部シャフト、２４………アーム固定部、２５………アーム連結板、２６………ボルト、２７………ガイド、３０………放電極、４０………伝達チェーン、５０………ケーシング、５１………ホッパー、５２………入口煙道、５３………出口煙道、５４………排ガス、５５………ダスト排出口、５６………碍子、５７………放電極サポート。
【図１】
2014172006.tif 000003
【図２】
2014172006.tif 000004
【図３】
2014172006.tif 000005
【図４】
2014172006.tif 000006
【図５】
2014172006.tif 000007
【図６】
2014172006.tif 000008
【図７】
2014172006.tif 000009